(57)【特許請求の範囲】
【請求項１】
ビデオ信号の容認されるビデオ記録を禁止する、前記ビデオ信号中の（ｉ）ＡＧＣパルス複製保護信号と、（ｉｉ）疑似同期パルス複製保護信号及びＡＧＣパルス複製保護信号の両方とのうち少なくとも一方の影響を除去または低減する方法であって、
前記複製保護信号の位置を決定するためにカラーバースト信号を使用する段階と、
カラーバースト信号に応答して、前記ビデオ信号の容認されるビデオ記録を可能とするように幾つかのラインの中の複製保護信号の少なくとも一部を変更する段階とを含み、
前記変更する段階は利得またはレベルのシフト、帯域幅制限、パルス幅の狭小化、及び／または前記複製保護信号の少なくとも一部の置換信号との置換を含む方法。
【請求項２】
前記複製保護信号はＮＴＳＣ形式である、請求項１記載の方法。
【請求項３】
前記複製保護信号はＰＡＬ形式である、請求項１記載の方法。
【請求項４】
前記複製保護信号はＳＥＣＡＭ形式である、請求項１記載の方法。
【請求項５】
前記複製保護信号の位置を表わす制御パルスを入力する段階と、
前記複製保護されたビデオ信号を入力する段階と、
前記制御パルスを使用して前記複製保護されたビデオ信号を変更する段階と、
前記変更された信号を出力する段階と、を含む請求項１記載の方法。
【請求項６】
前記変更する段階は、
前記複製保護信号によって範囲が限定される領域を除き、前記複製保護されるビデオ信号のすべての領域の振幅を増加させる段階を含むことを特徴とする、請求項１記載の方法。
【請求項７】
前記変更する段階は、複製保護信号が存在する全てのラインより少ないが、容認できるビデオ記録をするには充分なラインを変更する段階を含むことを特徴とする、請求項１記載の方法。
【請求項８】
前記変更する段階は、
前記ビデオ信号中に前記複製保護信号が存在する間に制御信号を入力する段階と、
前記制御信号に応じて前記ビデオ信号の一部の利得を制御する段階と、を有することを特徴とする、請求項１記載の方法。
【請求項９】
前記制御する段階は、前記複製保護信号が存在する間に電圧制御増幅器の利得を低下させる段階を有する、請求項８記載の方法。
【請求項１０】
前記制御する段階は、前記ビデオ信号中に前記複製保護信号が不在である間に電圧制御増幅器の利得を増加させる段階を有する、請求項８記載の方法。
【請求項１１】
前記変更する段階は、
前記ビデオ信号中に前記複製保護信号が存在する間に制御信号を入力する段階と、
前記置換信号を入力する段階と、
前記制御信号に応じて前記複製保護信号を前記置換信号によって置換する段階と、を有する、請求項１記載の方法。
【請求項１２】
前記置換信号は前記ビデオ信号の帰線消去レベルを表わす信号である、請求項１１記載の方法。
【請求項１３】
前記置換信号はビデオ信号である、請求項１１記載の方法。
【請求項１４】
前記置換信号は試験信号である、請求項１１記載の方法。
【請求項１５】
ビデオ信号の容認されるアナログビデオ記録を禁止する、前記ビデオ信号中の（ｉ）ＡＧＣパルス複製保護信号と、（ｉｉ）疑似同期パルス複製保護信号及びＡＧＣパルス複製保護信号の両方とのうち少なくとも一方の影響を除去または低減する方法であって、
同期パルスの位置を決定するためにカラーバーストを使用する段階と、
前記同期パルスの振幅を前記疑似同期パルスに対して増加させることにより、ディジタル・アナログ変換後のビデオ信号の容認されるビデオ記録を可能とする段階と、を有する方法。
【請求項１６】
複製保護されたビデオ信号中の複製保護パルスの位置を決定する方法であって、
前記複製保護されたビデオ信号を入力する段階と、
前記ビデオ信号をクロマ帯域通過する段階と、
クロマ包絡線を検出する段階と、
再トリガ不可能なワンショットパルスを発生する段階と、
再トリガ可能なワンショットパルスを発生する段階と、
前記再トリガ可能なワンショットパルスに応じてマルチラインワンショットパルスを発生する段階と、
前記複製保護パルスの位置を表わす制御信号を生成するよう前記再トリガ不可能なワンショットパルスと前記マルチラインワンショットパルスとをＡＮＤ演算する段階と、を有する方法。
【請求項１７】
前記再トリガ不可能なワンショットパルスは１ラインより少ない幅を有する、請求項１６記載の方法。
【請求項１８】
前記再トリガ不可能なワンショットパルスは５２乃至５４マイクロ秒の幅を有する、請求項１６記載の方法。
【請求項１９】
前記再トリガ可能なワンショットパルスは１ラインより大きい幅を有する、請求項１６記載の方法。
【請求項２０】
前記再トリガ可能なワンショットパルスは約７０マイクロ秒の幅を有する、請求項１６記載の方法。
【請求項２１】
前記マルチラインワンショットパルスは１ラインより大きい幅を有する、請求項１６記載の方法。
【請求項２２】
前記マルチラインワンショットパルスは６乃至１０ラインの幅を有する、請求項１６記載の方法。
【請求項２３】
複製保護されたビデオ信号中の複製保護パルスの位置を決定する方法であって、
前記複製保護されたビデオ信号を入力する段階と、
前記ビデオ信号をクロマ帯域通過させる段階と、
クロマ包絡線を検出する段階と、
第１のワンショットパルスを発生する段階と、
第２のワンショットパルスを発生する段階と、
前記第２のワンショットパルスと前記クロマ包絡線とをＡＮＤ演算して前記複製保護パルスの位置を表わす制御信号を生成する段階と、を有する方法。
【請求項２４】
前記第１のワンショットパルスは約２００ラインの幅を有することを特徴とする、請求項２３記載の方法。
【請求項２５】
前記第２のワンショットパルスは約３テレビラインの幅を有することを特徴とする、請求項２３記載の方法。
【請求項２６】
カラーバースト信号を有するビデオ信号の容認されるビデオ記録を禁止する、前記ビデオ信号中の（ｉ）ＡＧＣパルス複製保護信号と、（ｉｉ）疑似同期パルス複製保護信号及びＡＧＣパルス複製保護信号の両方とのうち少なくとも一方の影響を除去または低減する装置であって、
カラーバースト信号に応じて前記複製保護信号の位置を決定する複製保護位置回路と、
ビデオ信号の容認されるビデオ記録を可能とするようにライン中のビデオ保護信号の少なくとも一部を変更する変更回路とを有し、
前記変更は利得またはレベルのシフト、帯域幅制限、パルス幅の狭小化、及び／または前記ビデオ保護信号の少なくとも一部の置換信号との置換を含む装置。
【請求項２７】
前記複製保護位置回路は、
カラーバースト信号を取り囲む第１のパルスとビデオラインより幅がひろい第２のパルスを生成するタイミング回路と、
前記第１と第２のパルスを結合して制御信号を生成する論理回路と、を有する、請求項２６記載の装置。
【請求項２８】
前記変更回路は、
前記制御パルスによって範囲が限定される領域を除き、前記複製保護ビデオ信号のすべての領域の振幅を増加させる電圧制御増幅器を有する、請求項２６記載の装置。
【請求項２９】
前記変更回路は、
前記制御パルスによって画成される前記複製保護ビデオ信号の領域の振幅を減少させる電圧制御増幅器を有する、請求項２６記載の装置。
【請求項３０】
前記変更回路は、複製保護信号が存在する全てのラインより少ないが、容認できるビデオ記録をするには充分なラインを変更する、請求項２６記載の装置。
【請求項３１】
前記変更回路は、
前記ビデオ信号中に前記複製保護信号が存在することを示す制御信号と、
前記ビデオ信号の一部の利得を制御する、前記制御信号により制御された電圧制御増幅器と、を有する、請求項２６記載の装置。
【請求項３２】
前記電圧制御増幅器は前記複製保護信号が存在する間に利得を減少させる、請求項３１記載の装置。
【請求項３３】
前記電圧制御増幅器は前記ビデオ信号中に前記複製保護信号が不在である間に電圧制御増幅器の利得を増加させる、請求項３１記載の装置。
【請求項３４】
前記変更回路は、
前記ビデオ信号中に前記複製保護信号があることを示す制御信号と、
前記置換信号と、
前記複製保護信号を前記置換信号によって置換するスイッチと、を有する、請求項２７記載の装置。
【請求項３５】
前記置換信号は前記ビデオ信号の帰線消去レベルを表わす信号である、請求項３４記載の装置。
【請求項３６】
前記置換信号はビデオ信号である、請求項３４記載の装置。
【請求項３７】
前記置換信号は試験信号である、請求項３５記載の装置。
【請求項３８】
カラーバースト信号を有するビデオ信号の容認されるアナログビデオ記録を禁止する、前記ビデオ信号中の疑似同期複製保護信号及びＡＧＣパルス複製保護信号の影響を除去または低減する装置であって、
前記カラーバースト信号に応答して同期パルスの位置を決定する複製保護位置決定回路と、
前記疑似同期パルスに対する前記同期パルスの振幅を増加させてビデオ信号の容認されるビデオ記録を可能とする変更回路と、を有する装置。
【請求項３９】
複製保護されたビデオ信号中において複製保護パルスの位置を決定する装置であって、
複製保護されたビデオ入力信号と、
前記ビデオ信号をクロマ帯域通過させるクロマ帯域通過増幅器と、
クロマ包絡線を検出するクロマ包絡線検出器と、
第１のワンショットパルスを発生する再トリガ不可能なワンショットパルス発生器と、
第２のワンショットパルスを発生する再トリガ可能なワンショットパルス発生器と、
前記再トリガ可能なワンショットパルスをマルチラインワンショットパルスに結合して第３のワンショットパルスを発生する結合手段と、
前記第１のワンショットパルスと第３のワンショットパルスをＡＮＤ回路に結合して前記複製保護パルスの位置を表す制御信号を生成する結合手段と、を有する装置。
【請求項４０】
前記第１のワンショットパルスは１ラインより小さい幅を有することを特徴とする請求項３９記載の装置。
【請求項４１】
前記第２のワンショットパルスは１ラインより小さい幅を有することを特徴とする、請求項３９記載の装置。
【請求項４２】
前記第１のワンショットパルスは５２乃至５４マイクロ秒の幅を有する、請求項３９記載の装置。
【請求項４３】
前記第２のワンショットパルスは１ラインより小さい幅を有することを特徴とする、請求項３９記載の装置。
【請求項４４】
前記第２のワンショットパルスは約７０マイクロ秒の幅を有することを特徴とする、請求項３９記載の装置。
【請求項４５】
前記第３のワンショットパルスは１ラインより大きい幅を有することを特徴とする、請求項３９記載の装置。
【請求項４６】
前記第３のワンショットパルスは６乃至１０ラインの幅を有することを特徴とする、請求項３９記載の装置。
【請求項４７】
複製保護されたビデオ信号中において複製保護パルスの位置を決定する装置であって、
前記ビデオ信号をクロマ帯域通過させるクロマ帯域通過増幅器と、
クロマ包絡線を検出するクロマ包絡線検出器と、
第１のワンショットパルスを発生する第１のワンショットパルス発生器と、を有し、
前記第１のワンショットパルスは第２のパルス発生器に結合され、第２のワンショットパルスを発生し、
前記第１のパルスと前記クロマ包絡線はＡＮＤ回路に結合され、前記複製保護信号の位置を表す制御信号を生成する装置。
【請求項４８】
前記第１のワンショットパルスは約２００ラインの幅を有する、請求項４７記載の装置。
【請求項４９】
前記第２のワンショットパルスは約２．８マイクロ秒の幅を有する、請求項４７記載の装置。
【請求項５０】
複製保護信号はＮＴＳＣ形式であることを特徴とする、請求項２６の装置。
【請求項５１】
複製保護信号はＰＡＬ形式であることを特徴とする、請求項２６の装置。
【請求項５２】
複製保護信号はＳＥＣＡＭ形式であることを特徴とする、請求項２６の装置。
【請求項５３】
ビデオ信号の容認されるビデオ記録を禁止する、前記ビデオ信号中の（ｉ）ＡＧＣパルス複製保護信号と、（ｉｉ）疑似同期パルス複製保護信号及びＡＧＣパルス複製保護信号の両方とのうち少なくとも一方の影響を除去または低減する方法であって、
前記ビデオ信号中のカラーバースト信号を検出する段階と、
カラーバースト信号に応じて１つ以上の前記複製保護信号を変更して前記ビデオ信号の容認されるビデオ記録を可能とする段階とを有し、
前記変更は利得またはレベルのシフト、帯域幅制限、パルス幅の狭小化、及び／または前記複製保護信号の置換信号との置換を含み、
前記カラーバーストの検出は記録可能または視聴可能な複製を作成する上で必須である方法。
【請求項５４】
ビデオ信号の容認されるビデオ記録を禁止する、前記ビデオ信号中の（ｉ）ＡＧＣパルス複製保護信号と、（ｉｉ）疑似同期パルス複製保護信号及びＡＧＣパルス複製保護信号の両方とのうち少なくとも一方の影響を除去または低減する方法であって、
前記複製保護信号の位置を決定するためにカラーバースト信号を使用する段階と、
カラーバースト信号に応答して、前記ビデオ信号の容認されるビデオ記録を可能とするように、幾つかのライン中の複製保護信号の少なくとも一部の利得を変更する段階と、を有する方法。
【請求項５５】
ビデオ信号の容認されるビデオ記録を禁止する、前記ビデオ信号中の（ｉ）ＡＧＣパルス複製保護信号と、（ｉｉ）疑似同期パルス複製保護信号及びＡＧＣパルス複製保護信号の両方とのうち少なくとも一方の影響を除去または低減する装置であって、
カラーバースト信号に応じて、前記複製保護信号の位置を決定するタイミング回路と、
カラーバースト信号に応じて、前記ビデオ信号の容認されるビデオ記録を可能とするように、幾つかのライン中の複製保護信号の少なくとも一部の利得を変更する変更回路と、を有する装置。
【請求項５６】
ビデオ信号の容認されるビデオ記録を禁止する、前記ビデオ信号中の（ｉ）ＡＧＣパルス複製保護信号と、（ｉｉ）疑似同期パルス複製保護信号及びＡＧＣパルス複製保護信号の両方とのうち少なくとも一方の影響を除去または低減する方法であって、
前記複製保護信号の位置を決定するためにカラーバースト信号を使用する段階と、
カラーバースト信号に応答して、前記ビデオ信号の容認されるビデオ記録を可能とするように、幾つかのライン中の複製保護信号の少なくとも一部の帯域幅を制限する段階と、を有する方法。
【請求項５７】
ビデオ信号の容認されるビデオ記録を禁止する、前記ビデオ信号中の（ｉ）ＡＧＣパルス複製保護信号と、（ｉｉ）疑似同期パルス複製保護信号及びＡＧＣパルス複製保護信号の両方とのうち少なくとも一方の影響を除去または低減する装置であって、
カラーバースト信号に応じて、前記複製保護信号の位置を決定するタイミング回路と、
カラーバースト信号に応じて、前記ビデオ信号の容認されるビデオ記録を可能とするように、幾つかのライン中の複製保護信号の少なくとも一部の帯域幅を制限する変更回路と、を有する装置。
【請求項５８】
ビデオ信号の容認されるビデオ記録を禁止する、前記ビデオ信号中の（ｉ）ＡＧＣパルス複製保護信号と、（ｉｉ）疑似同期パルス複製保護信号及びＡＧＣパルス複製保護信号の両方とのうち少なくとも一方の影響を除去または低減する方法であって、
前記複製保護信号の位置を決定するためにカラーバースト信号を使用する段階と、
カラーバースト信号に応答して、前記ビデオ信号の容認されるビデオ記録を可能とするように、幾つかのライン中の複製保護信号の少なくとも一部の振幅をシフトする段階と、を有する方法。
【請求項５９】
ビデオ信号の容認されるビデオ記録を禁止する、前記ビデオ信号中の（ｉ）ＡＧＣパルス複製保護信号と、（ｉｉ）疑似同期パルス複製保護信号及びＡＧＣパルス複製保護信号の両方とのうち少なくとも一方の影響を除去または低減する装置であって、
カラーバースト信号に応じて、前記複製保護信号の位置を決定するタイミング回路と、
カラーバースト信号に応じて、前記ビデオ信号の容認されるビデオ記録を可能とするように、幾つかのライン中の複製保護信号の少なくとも一部の振幅をシフトする変更回路と、を有する装置。
【発明の詳細な説明】
関連出願
本願は１９９５年１０月１７日に出願された米国仮特許出願第６０／００５，６８１号に関連する。
発明の背景
発明の分野
本発明はビデオ信号を処理する方法及び装置に関し、更に特定的にはビデオ信号から複製保護信号の影響を除去（抑制）する方法に関する。
従来技術の説明
１９８６年１２月２３日に交付された「ＭＥＴＨＯＤ  ＡＮＤ  ＡＰＰＡＲＡＴＵＳ  ＦＯＲ  ＰＲＯＣＥＳＳＩＮＧ  Ａ  ＶＩＤＥＯ  ＳＩＧＮＡＬ  ＳＯ  ＡＳ  ＴＯ  ＰＲＯＨＩＢＩＴ  ＴＨＥ  ＭＡＫＩＮＧ  ＯＦ  ＡＣＣＥＰＴＡＢＬＥ  ＶＩＤＥＯ  ＴＡＰＥ  ＲＥＣＯＲＤＩＮＧＳ  ＴＨＥＲＥＯＦ」なる名称のＲｙａｎによる米国特許第４，６３１，６０３号（’６０３号）は、テレビ受像機が変更されたビデオ信号から通常のカラー画像を供給すると同時に、変更されたビデオ信号をビデオテープによって記録することにより略容認されない画像を生成するよう変更されるビデオ信号を記載する（参照文献として組み込まれる）。
’６０３号の発明は、典型的なビデオカセットレコーダの自動利得制御システムは従来のビデオ信号の通常同期パルス（等化パルス又はブロードパルスを含む）と付加された疑似同期パルスとを区別することができないことによる。ここでは疑似同期パルスは通常の同期チップレベルまで延び、少なくとも０．５マイクロ秒の期間を有するパルスとして定義される。複数のそのような疑似同期パルスは垂直帰線消去間隔に亘って従来のビデオに付加され、そのような疑似同期パルスの夫々の後には適当な振幅及び期間を有する正のパルスが続く。結果として、ビデオテープレコーダ内の自動利得制御システムはビデオ信号の不適当な記録を引き起こすビデオレベルの誤った測定を行う。この結果、再生中に容認されない画質が生ずる。
１９８９年４月４日に交付された「ＭＥＴＨＯＤ  ＡＮＤ  ＡＰＰＡＲＡＴＵＳ  ＦＯＲ  ＣＬＵＳＴＥＲＩＮＧ  ＭＯＤＩＦＩＣＡＴＩＯＮＳ  ＭＡＤＥ  ＴＯ  Ａ  ＶＩＤＥＯ  ＳＩＧＮＡＬ  ＴＯ  ＩＮＨＩＢＩＴ  ＴＨＥ  ＭＡＫＩＮＧ  ＯＦ  ＡＣＣＥＰＴＡＢＬＥ  ＶＩＤＥＯＴＡＰＥ  ＲＥＣＯＲＤＩＮＧ」なる名称のＲｙａｎによる米国特許第４，８１９，０９８号（’０９８号）は、受像機は変更された信号から通常の画像を生成し、一方この信号のビデオテープ記録は概して許容されない画像を生成するテレビモニタの変更を記載し、参考文献として組み込まれる。ビデオテープレコーダは、ビデオ信号中の同期レベルを測定し、ビデオレベルが一定の所定値でビデオテープ記録システム内のＦＭ変調器に対して与えられたままであるよう利得修正値を生成する自動利得制御回路を有する。複数の正のパルスは、夫々が通常に発生する同期パルスの夫々のトレーリングエッジに続いてビデオ信号に付加される。これらの付加されたパルスは、信号によって定義される画像の可視性に対する影響を最小化し、一方レコーダ内の自動レベル制御回路がその実際の値の数倍のビデオレベルを評価するよう、各フィールドの垂直帰線消去間隔においてクラスタ化される。同期パルス自体はまた、処理の有効性を高めるよう減少されたレベルにあってもよい。
１９９０年１０月２日に交付された「ＭＥＴＨＯＤ  ＡＮＤ  ＡＰＰＡＲＡＴＵＳ  ＦＯＲ  ＲＥＭＯＶＩＮＧ  ＰＳＥＵＤＯ−ＳＹＮＣ  ＡＮＤ／ＯＲ  ＡＮ  ＡＧＣ  ＰＵＬＳＥＳ  ＦＲＯＭ  Ａ  ＶＩＤＥＯ  ＳＩＧＮＡＬ」なる名称のＲｙａｎによる米国特許第４，６９５，９０１号（’９０１号）は、その容認されるビデオ記録を可能にするよう，ビデオ信号に付加された疑似同期パルス及びＡＧＣパルスを除去する方法を記載し、ここに参照文献として組み込まれる。従来は、ビデオテープレコーダの自動利得制御は誤った記録レベルを感知し、一方従来のテレビ受像機はビデオ信号に対する上記の変更によって影響を受けなかったため、付加された信号はビデオ信号の容認できるビデオ記録を妨げた。付加されたパルスの除去は、以前に変更されたビデオ信号の容認されるビデオ記録を可能にする。ビデオ信号から選択された負の値の成分（即ち疑似同期パルス）を除去するよう選択的に動作可能なクリッピング回路が使用され、一方付加されたＡＧＣパルスは電気的に作動されるスイッチによってビデオ信号から効果的に帰線消去される。帰線消去及びクリッピング機能の両方は、ビデオ信号の通常同期パルス及び付加された疑似同期パルスの両方を感知することによって選択的に達成される。疑似同期パルスのみ、ＡＧＣパルスのみ、又はそれらの組み合わせのいずれかによってビデオ信号を「きれいにする」方法及び装置が開示される。
１９９２年１月２１日に交付された「ＣＯＤＥ  ＳＩＧＮＡＬ  ＢＬＡＮＫＩＮＧ  ＡＰＰＡＲＡＴＵＳ」なる名称のＯｋａｄａ他による米国特許第４，３３６，５５４号（’５５４号）（参照文献として組み込まれる）は、テレビジョン信号の垂直帰線消去期間の所与の期間に亘って動作可能な切換手段と、切換回路が動作可能であるときに上記の所与の期間に亘って基準レベルの出力を発生する基準レベル設定手段とからなるコード信号帰線消去装置を記載する。
１９９３年３月１６日に交付された「ＭＥＴＨＯＤ  ＡＮＤ  ＡＰＰＡＲＡＴＵＳ  ＦＯＲ  ＤＩＳＡＢＬＩＮＧ  ＡＮＴＩ−ＣＯＰＹ  ＰＲＯＴＥＣＴＩＯＮ  ＳＹＳＴＥＭ  ＩＮ  ＶＩＤＥＯ  ＳＩＧＮＡＬＳ」なる名称のＱｕａｎ他による米国特許第５，１９４，９６５号（’９６５号）は、テレビジョン及びＶＣＲ回路の特性の相違に基づく記録ビデオ信号中に配置される複製保護信号の効果を不可にする方法及び装置を記載し、ここに参照文献として組み込まれる。複製保護信号は、ビデオ信号の帰線消去間隔の中に疑似同期パルス及び／又は付加されたＡＧＣパルスを含む。記載される特定的な方法は、ＶＣＲによる認可されない複製を防ぐために複製保護信号を無効にさせるよう、例えばレベルシフトによって垂直帰線消去間隔に亘ってビデオ信号のレベルを変えることを含む。この方法を達成するための回路は、垂直帰線消去間隔を検出する同期セパレータと、間隔に亘って所定の幅のパルスを発生するパルス発生回路と、複製保護信号を有する所定のパルスを加算し、よってそれらのレベルをシフトする加算回路とを含む。他の方法は、ＶＣＲ回路内で減衰及び／又は低域通過フィルタリングを達成し、よって複製を防止する際に信号を無効にさせるよう、垂直帰線消去間隔に亘って複製保護信号の有効周波数を増加させる及び／又は狭くすることを含む。この方法を達成する回路は、疑似同期及び／又はＡＧＣパルスの高周波内容を効果的に増加させるパルス狭小化回路及び／又はパルス増倍回路を含む。
１９９２年１０月２０日に交付された「ＭＥＴＨＯＤ  ＡＮＤ  ＡＰＰＡＲＡＴＵＳ  ＦＯＲ  ＤＩＳＡＢＬＩＮＧ  ＡＮＴＩ−ＣＯＰＹ  ＰＲＯＴＥＣＴＩＯＮ  ＳＹＳＴＥＭ  ＩＮ  ＶＩＤＥＯ  ＳＩＧＮＡＬＳ  ＵＳＩＮＧ  ＰＵＬＳＥ  ＮＡＲＲＯＷＩＮ  Ｇ」なる名称のＱｕａｎ他による米国特許第５，１５７，５１０号（’５１０号）は、テレビジョン及びＶＣＲ回路の特性の相違を使用してビデオ信号に加えられる複製保護信号の効果を不可にする方法及び装置を記載する（参照文献として組み込まれる）。記載される複製保護信号は、ビデオ信号の垂直帰線消去間隔の中に疑似同期パルス及び／又は付加されたＡＧＣパルスを含む。記載される特定的な方法は、ＶＣＲ回路内の減衰及び／又は低域通過フィルタリングを達成し、よって信号を複製防止の際に無効にさせるよう、垂直帰線消去間隔に亘って複製保護信号の有効周波数を増加させることを含む。この方法を達成する回路は、疑似同期及び／又はＡＧＣパルスの高周波内容を効果的に増加させるパルス狭小化回路及び／又はパルス増倍回路からなる。
１９９５年５月２日に出願された「ＶＩＤＥＯ  ＣＯＰＹ  ＰＲＯＴＥＣＴＩＯＮ  ＰＲＯＣＥＳＳ  ＥＮＨＡＮＣＥＭＥＮＴ  ＡＮＤ  ＶＥＲＴＩＣＡＬ  ＰＩＣＴＵＲＥ  ＤＩＳＴＯＲＴＩＯＮＳ」なる名称のＱｕａｎによる米国特許出願第０８／４３３，２８３号（’２８３号）は、参照文献として組み込まれ、レコーダ内の同期パルス検出システムが通常同期パルスのみを検出するよう疑似同期パルスの相対振幅を通常のパルスに変更することによって、’６０３号特許によって発生される信号の影響を抑制し、従って上記複製保護信号の通常の記録を可能にすることが開示される。
１９９５年５月５日に出願された「ＶＩＤＥＯ  ＣＯＰＹ  ＰＲＯＴＥＣＴＩＯＮ  ＰＲＯＣＥＳＳ  ＥＮＨＡＮＣＥＭＥＮＴ  ＡＮＤ  ＶＥＲＴＩＣＡＬ  ＰＩＣＴＵＲＥ  ＤＩＳＴＯＲＴＩＯＮＳ」なる名称のＱｕａｎによる米国特許出願第０８／４３５，５７５号（’５７５号）は、参照文献として組み込まれ、上記複製保護信号の通常の記録を可能にするよう、’６０３号特許によって発生された信号の影響の様々な抑制機構を開示する。
「Ｍｅｔｈｏｄ  ａｎｄ  Ａｐｐａｒａｔｕｓ  ｆｏｒ  Ｐｒｅｖｅｎｔｉｎｇ  Ｔｈｅ  Ｃｏｐｙｉｎｇ  ｏｆ  ａ  ＶｉｄｅｏＰｒｏｇｒａｍ」なる名称の米国特許第４，９０７，０９３号（’０９３号）は、参照文献として組み込まれ、’６０３号特許に記載される順序付けられた疑似同期パルス及び白色パルスの対を検出し、ビデオカセットレコーダの記録機能を不可にする方法及び装置が開示される。’０９３号特許は幾つかの検出方法を開示する。
更に、１９８６年２月１８日に交付された「ＴＩＭＩＮＧ  ＧＥＮＥＲＡＴＯＲ  ＦＯＲ  ＳＹＮＣ  ＳＵＰＰＲＥＳＳＥＤ  ＴＥＬＥＶＩＳＩＯＮ  ＳＩＧＮＡＬＳ」なる名称のＲｏｂｂｉｎｓ他による米国特許第４，５７１，６１５号（’６１５号）は、参照文献として組み込まれ、抑制された水平帰線消去間隔の後方ポーチ上に含まれる水平帰線消去間隔信号中のカラーバースト又はクロマに応答する検出器を含む同期された信号が抑制されているスクランブルされたビデオ信号中のタイミング信号を復元するタイミング信号発生器を開示する。垂直間隔は特定の時間の水平帰線消去間隔中のカラーバースト又はクロマの不在として検出され、水平同期情報は水平帰線消去間隔中のカラーバースト又はクロマの不在の後の水平帰線消去間隔中の最初のカラーバースト又はクロマの検出によって獲得される。
参照された抑制についての特許に記載される全ての抑制方法は、複製保護されたビデオ信号中の複製保護信号の位置を決定するために垂直及び水平同期パルスを使用する。複製保護されたビデオ信号中の複製保護信号の位置を決定するために垂直及び水平同期パルスに依存しない複製保護抑制機構が必要とされる。
概要
本発明は複製保護されたビデオ信号中の複製保護信号の位置を決定するために水平帰線間隔信号中のカラーバースト又はクロマを使用する方法及び装置に関する。
本発明は２つの基本要素を含み、それらは：水平帰線間隔信号中のカラーバースト又はクロマを使用して複製保護信号の位置を決定する方法及び装置；及びこれらのライン及び／又は複製保護パルスの少なくとも幾つかの中の複製保護信号を変更し、それによりビデオ信号の容認されるビデオ記録が行われうる包括的な方法及び装置である。
複製保護パルスの影響を抑制する、又は効果的に除去する「包括的な」方法は、「回路ＡＣＰ」と称される。「回路ＡＣＰ」は上述のようにトリガ要素として水平帰線消去間隔信号上のカラーバースト又はクロマを使用する疑似同期ＡＧＣパルス画素位置回路によって制御される。
この「回路ＡＣＰ」は：ａ）Ｒｙａｎによる第４，６９５，９０１号（’９０１号）、Ｑｕａｎ他による第５，１９４，９６５号（’９６５号）及び第５，１５７，５１０号（第’５１０号）（上記全ては参照文献として組み込まれる）に記載されるレベルシフト及び／又はパルス狭小化及び／又はパルス減衰；ｂ）通常の複合同期置換；ｃ）同期セパレータが疑似同期を検出しないよう疑似同期よりも大きい振幅の通常の複合同期の大きさを増加させ（上記において開示され参照文献として組み込まれる’９６５号特許及び’２８３号に開示される）；ｄ）記録可能な複製が可能であるよう疑似ＡＧＣ位置の少なくとも一部分を信号によって置換することによって（即ちフラットフィールド）、ディジタル領域中にある間に複製保護信号の有効性を除去又は減少させる。
「回路ＡＣＰ」中で使用されうる幾つかの異なる回路が説明される。
複製保護信号の影響を除去又は抑制する方法及び装置は、複製保護信号が存在する全てのラインよりは少ないが、容認されるビデオ記録が行われうるのに充分なだけのラインを変更することを含む。
【図面の簡単な説明】
添付の図面を参照するに、
図１Ａ，１Ｂ及び１Ｃは規格ＮＴＳＣビデオ信号の垂直間隔を示す図であり、
図２は、’６０３号特許に記載される疑似同期パルス及びＡＧＣパルスを含む複製保護信号を示す図であり、
図３は、’０９８号特許に記載される複製保護信号を示す図であり、
図４は本発明の第１の実施例の一般的なブロック図を示す図であり、
図５は、図４に図示される「回路ＡＣＰ」の電圧制御増幅器又は変調器の実施例を示す図であり、
図６は、図４に図示される「回路ＡＣＰ」の他の実施例としての、複製保護パルスを変更するスイッチを示す図であり、
図７は、図４に図示される「回路ＡＣＰ」の加算増幅器の実施例を示す図であり、
図８は、図５，６及び７に図示される回路の組み合わせを示す図であり、
図９は本発明の第２の実施例のブロック図を示す図である。
詳細な説明
本発明は、複製保護信号の位置を決定し、複製保護信号の有効性を抑制又は減少させることを主な目的とする。図１Ａ，１Ｂ及びＣは規格ＮＴＳＣビデオ信号の垂直間隔を示す図である。水平帰線消去間隔信号中のカラーバースト又はクロマは各フィールドの最初の９ライン中には存在しないことに注意すること。
上述のように、ビデオ信号中に共通に存在する複製保護信号には２つの基本的なタイプがある。第１のタイプはビデオ信号の垂直帰線消去部分に信号を含む。以下説明される第２のタイプはビデオ信号の後方ポーチ部分に複製保護信号を含む。
図２は、’６０３号特許に記載されるような疑似同期パルス及びＡＧＣパルスを含む複製保護信号の垂直帰線消去間隔を含む１つの水平ラインを示す図である。’６０３号特許に記載されるように、この信号の主な要素は疑似同期パルスとＡＧＣパルスとの関係である。この関係は複製保護信号を記録するレコードの中でＡＧＣの乱れの原因となる。
これらの複製保護信号の要素は疑似同期又はＡＧＣパルスを有する規則的な同期パルスのいずれかの組み合わせである。これらの同期及びＡＧＣのパルスの対は、レコーダ内のＡＧＣ回路が正しい利得設定を誤って計算し、劣った記録を行うよう設計されている。以下説明される実施例は、カラーバースト信号を使用して複製保護信号の位置を決定し、複製保護信号の影響を減少又は除去するよう複製保護信号を変更することを主な目的とする。
図３は、’０９８号特許に記載されるような複製保護信号の商業的な実施例を示す図である。この信号は、幾つかの水平ライン上に、各フィールド内の垂直間隔の前等化パルスの前に配置される。これらのパルスと、図２中のパルスとの組み合わせは、ディスプレイ装置上への信号の再生可能性を減少させることなく複製保護の有効性を増加させる。
図４は、本発明の実施例の全体のブロック図である。本実施例は２つの主な要素からなる。第１の要素は、’９０１号、’９６５号、’５１０号特許と異なる新しい疑似同期ＡＧＣパルス位置回路からなる。第２の要素は、位置回路によって発生された制御パルスの制御下で複製保護信号を変更する「包括的な回路ＡＣＰ」である。
上述のように、参照された特許は複製保護パルスの位置を検出するためにビデオ信号中の垂直及び水平同期信号を使用する。本発明は、複製保護パルスを検出するために水平帰線消去間隔中のカラーバースト又はクロマを感知する。上述のように、水平帰線消去間隔信号中のカラーバースト及びクロマは各フィールドの最初の９ライン中には存在しない。複製保護パルスは、水平帰線消去間隔信号中のカラーバースト又はクロマを含まない期間に関する既知の位置にある。
’９０１号、’５１０号及び’９６５号特許の各実施例は、同期セパレータ、単安定タイミング回路、論理、カウンタ及びディジタルライン位置を使用する。図４に図示されるような実施例は、’９０１号、’９６５号及び’５１０号特許と異なり、複製保護パルスの位置を決定するために同期パルスを感知しない新しい疑似同期ＡＧＣパルスを示す。そのかわり、図４の実施例は水平帰線消去間隔中のカラーバースト又はクロマに依存する。
装置１０は、「回路ＡＣＰ」１４及びクロマ帯域通過増幅器１６に入力される複製保護入力ビデオ信号１２を有する。クロマ帯域通過増幅器１６はクロマ信号をルミナンス信号から分離する。帯域通過されたクロマ信号１８は包絡線検出器増幅器２０に結合される。図１に示されるように、水平帰線消去間隔中のカラーバースト又はクロマは垂直帰線消去間隔中の約９ラインに亘って欠落している。図４の回路はこれを有利に利用する。クロマ包絡線検出器増幅器２０の出力は約５２マイクロ秒乃至５４マイクロ秒（１テレビライン以下）の再トリガ不可能な単安定マルチバイブレータ２２（タイミング回路）に結合される。これはこの回路の出力がアクティブなテレビライン及びフィールド中にクロマではなく、バーストのみをトリガすることを確実にする。クロマ包絡線検出器増幅器２０の出力はまた、約７０マイクロ秒（１ライン以上）の再トリガ可能な単安定タイミング回路２４に結合され、間隔は１テレビライン以上でなくてはならいが、２テレビライン以下である（１２６マイクロ秒以下）であることが望ましい。この７０マイクロ秒単安定タイミング回路の出力は、約ライン１０からテレビラインの終端まで（次のテレビフィールドの１ラインまで高いことも可能である）高いパルスである。ＡＧＣパルス及び疑似同期パルスはライン１０から１６又は２０までに対するものであることが既知であるため、６−１０テレビライン単安定タイミング回路２６は７０マイクロ秒単安定タイミング回路の低から高への遷移を５２−５４マイクロ秒単安定タイミング回路出力と共に論理「ＡＮＤ」回路へトリガし、この論理「ＡＮＤ」回路は、疑似同期パルスに関して通常同期パルスを減衰、クリッピング、帰線消去、レベルシフト、拡大するよう「回路ＡＣＰ」を制御し、ビデオテープレコーダへの記録可能な複製を可能にするよう複製保護パルスを充分に狭め、及び変更するのに適した疑似同期ＡＧＣパルス画素及びライン位置パルスを生成する。
図４の概念は、アナログ領域中と同時にディジタル領域にも適用されることに注意すること。
図４の第２の部分は、回路ＡＣＰ１４の中で複製保護信号の変更を制御するために制御パルス３０を使用することである。以下の夫々の実施例において、複製保護ビデオ１２は、回路ＡＣＰ１４によって変更されるべき信号として回路ＡＣＰの第１の入力へ入力される。回路ＡＣＰの第２の入力は上述の制御信号３０である。
回路ＡＣＰ１４の第１の実施例は例えば、疑似同期を除き、通常複合同期パルス及びＶＢＩ外のビデオに亘って利得を増加させるよう電圧制御増幅器又は変調器を使用する。疑似同期及び／又はＡＧＣパルスの間、利得は小さくされうる。これは制御信号３０を通じて行われる。図５はそのような電圧制御増幅器を有する回路ＡＣＰ１４を示す。複製保護ビデオ１２は電圧制御増幅器３２の入力に入力される。制御信号３０は電圧制御増幅器３４の制御要素に入力される。これは上述の様々な機能を実行する電圧制御出力を生成する。電圧制御増幅器の使用は、（例えば）’９６５号特許（参照文献として組み込まれる）の図３（ｅ）に示されるように通常同期パルスに対する疑似同期パルスの相対位置を変化させるために使用される。通常同期パルスの相対位置を疑似同期パルスへ変化させることは、レコーダを疑似同期パルスに応答しなくさせる。これは、’９６５号特許の第４欄の２２乃至２９行に更に記載される。
回路ＡＣＰ１４の他の実施例（図６）は、複製保護された付加されたパルスを変更するようスイッチ及び信号発生器を使用する。例えば、信号発生器が帰線消去レベルを表わす信号を生成すると、制御信号は付加されたパルスを記録可能な複製を可能にする信号によって置換するために使用されうる。信号発生器は、乱数的雑音又は試験信号を含む、又は入力信号の幾つかの変形は複製保護パルスの歪んだ変更された変形（即ち、狭められた疑似同期パルス又はＡＧＣパルス、レベルシフトされた複製保護パルス、拡大された同期パルス及び／又は複製保護パルスのフィルタリングされた変形（即ち帯域通過、低域通過、高域通過））を含みうる任意の信号を発生するために使用されうる。この信号は記録可能な複製を可能にするよう複製保護信号を置換又は変更しうる。
図６はそのようなスイッチ・発生器の組み合わせを有する回路ＡＣＰを示す。複製保護パルスを含むビデオ複製信号１２はスイッチ３８の入力へ入力される。制御信号３０はスイッチ３８の制御要素へ入力される。スイッチ３８への第２の信号入力は、発生器４２によって発生されるビデオ信号４０である。スイッチ３８及び発生器４２の使用により、ビデオ入力１２中の複製保護パルスは帰線消去レベル信号又は他の信号、即ち複製保護信号又は試験信号の変更された部分又は全て、によって置換され、それによりレコーダによるビデオ入力信号１２の通常記録を可能にする。
回路ＡＣＰ１４の第４の実施例は、ＶＣＲの回路がレベルシフトされた疑似同期を感知しないよう疑似同期をレベルシフトする加算回路を使用する。このように、記録可能な複製が行われうる。疑似同期を除き、通常複合同期パルス及びＶＢＩ外のビデオに亘って全く、又は殆ど影響が無いことが望ましい。疑似同期及び／又はＡＧＣパルスの間、レベルは変化されうる。これは制御信号３０によって行われる。図７はそのような加算回路を有する回路ＡＣＰ１４を示す。複製保護ビデオ１２は電圧制御増幅器３２の入力に入力される。制御信号３０は加算回路４４の制御要素に入力される。上述の様々な機能を実行するレベルシフトされた出力が発生される。レベルシフト信号の使用は、’９６５号特許（参照文献として組み込まれる）の図３（ｅ）に記載されるように通常同期パルスに対して疑似同期パルスの相対位置を変化させるために使用される。
疑似同期パルスに対して通常同期パルスの相対位置を変化させることは、レコーダの中のＡＧＣシステムを疑似同期パルスに対して充分に応答しないようにさせる。これは、’９６５号特許の第４欄の２２乃至２９頁に更に説明される。
図８は、上述において１つのパッケージとして説明された様々な回路ＡＣＰの実施例の組み合わせを示す。これらの実施例は、加算回路４４と、電圧制御増幅器３４と、スイッチ３８及び電圧発生器４２の組み合わせとを含み、ＳＷ９９に入る制御Ａｌｔ信号を用いて狭小化を行い、ＳＷ９及びＳＵＭ９を通じて相殺（減衰）を行う。制御信号は、ＡＧＣ及び／又は疑似同期パルスがオンのときに、少なくともＡＧＣ及び又は部分の時間の部分を表わす論理ｈｉｇｈである。
他の「回路ＡＣＰ」変形は、複製保護されたビデオのＡＧＣ及び疑似同期パルスを感知することによって論理ｈｉｇｈとなる回路でありうる。ＡＧＣ及び疑似同期の期間がより短いパルスを出力するためのタイミング発生器は、次にビデオのＡＧＣパルス及び疑似同期パルスを狭めるために使用される。もちろん複製保護パルスはまた、狭小化、減衰、レベルシフト及び／又は変更（即ち置換）の組み合わせであり得る。
上述の実施例は、垂直帰線消去間隔中に複製保護信号の位置を決定し、それらの除去する、又はそれらを複製保護においてより有効でなくするよう複製保護信号を変更するものである。
’０９８号及び’６０３号特許もまた、ビデオ信号の後方ポーチ中の１つ以上のライン上に位置決定される複製保護技術を開示する。本発明の一般的な概念はこれらの信号の有効性を除去又は減少するために使用されうる。
図９は、’０９８号特許に示されるような複製保護パルスの位置を検出する実施例である。非常に単純な例は、クロマパルス検出器からのクロマ包絡線パルスを直接回路ＡＣＰに結合することである。
しかしながら、より信頼できる方法は図９の装置５０として図示されている。上述のように、本実施例は、複製保護パルスを検出するよう、水平帰線消去間隔中のカラーバースト又はクロマを検知する。上述のように、水平帰線消去間隔中のカラーバースト又はクロマは各フィールドの最初の９ライン中には存在しない。複製保護パルスは水平帰線消去間隔信号中のカラーバースト又はクロマを含まない期間に関して既知の位置にある。
装置５０は、「回路ＡＣＰ」１４及びクロマ帯域通過増幅器１６に入力される複製保護入力ビデオ信号１２を有する。クロマ帯域通過増幅器１６はクロマ信号をルミナンス信号から分離する。帯域通過されたクロマ信号１８はクロマ包絡線パルスを発生するよう、包絡線検出器増幅器２０に結合される。図１に示されるように、水平帰線消去間隔信号中のカラーバースト又はクロマは、垂直帰線消去間隔の約９ラインに亘って欠落する。図９の回路はこれを利点とする。クロマ包絡線検出器増幅器２０は約２００乃至２５０テレビラインの単安定マルチバイブレータ５４（タイミング回路）に結合される。単安定タイミング回路６４は、’０９８号特許に記載されるパルスと一致するパルスを発生するよう、単安定タイミング回路５４の出力をトリガする。これらのラインは例えば、フィールドの最後の３ラインである。これはこの回路の出力が、ビデオ信号の後方ポーチ中に複製保護信号を有することが知られている画像の領域をトリガすることを確実にする。これらのパルスの幅は、現在使用されている画像の部分よりも大きな部分に亘って複製保護パルスを組み込むことができる複製保護システムの変形を収容するよう調節可能にされうる。再トリガ可能な単安定タイミング回路６４及びクロマ包絡線検出器増幅器２０の出力は、ビデオテープレコーダへの記録可能な複製を可能にするよう複製保護パルスを減衰、クリッピング、帰線消去、置換、又はレベルシフトするよう「回路ＡＣＰ」を制御するよう後方ポーチＡＧＣパルス画素を発生する論理「ＡＮＤ」回路２８に結合される。
回路ＡＣＰは本実施例では、複製保護パルスをレベルシフトし、クロマのみを通過させるよう帯域幅を制限し、又は通常カラーバースト及び帰線消去レベルによって複製保護パルスを置換するために使用されうる。
各変更実施例において、複製保護信号の抑制を発生するために複製保護信号の充分な部分のみが変更される必要があることに注意すべきである。これは、Ｒｙａｎによる’６０３号及び’０９８号特許に記載される疑似同期及び／又はＡＧＣパルスの部分が充分な数の付加されたパルス対及び生じたラインと組み合わされることを意味する。
本開示は例示的であり、制限的ではない。本明細書中の全ての説明はＮＴＳＣ形式を参照した。しかしながら、概念はＰＡＬ及びＳＥＣＡＭ形式に対しても同等に適用されうる。更なる変更は当業者によって明らかとなり、添付の請求項の範囲であることが意図される。
【図１Ａ】
0004355819.tif 000002
【図１Ｂ】
0004355819.tif 000003
【図１Ｃ】
0004355819.tif 000004
【図２】
0004355819.tif 000005
【図３】
0004355819.tif 000006
【図４】
0004355819.tif 000007
【図５】
0004355819.tif 000008
【図６】
0004355819.tif 000009
【図７】
0004355819.tif 000010
【図８】
0004355819.tif 000011
【図９】
0004355819.tif 000012